(57)【要約】【課題】スライド部材９の突起１２をガイド溝８Ａに沿って長手方向に前後動させることにより、芯１０を一定量繰り出すとともに回転させることができるシャープペンシルを提供する。【解決手段】軸筒５内に芯１０の前進は許容するが後退は阻止するボールチャック式芯保持機構を内蔵する。また、軸筒５の前部に先部材８を取り付け、この先部材８に周方向に傾斜したガイド溝８Ａを貫通して構成する。この先部材８に芯１０を適度の保持力で保持する芯ホルダー１１を設けたスライド部材９を内蔵する。このスライド部材９に突起１２を固着し、突起１２が前記ガイド溝８Ａを挿通して外方に突出させる。この突起１２を操作しガイド溝８Ａに沿って長手方向に前後動させることによって、スライド部材９内の芯１０を適宜回転させる。【選択図】図１
2009292001.tif 000002
【特許請求の範囲】
【請求項１】
本体内に芯の前進は許容するが後退は阻止するボールチャック式芯保持機構を内蔵するとともに、芯を適度の保持力で保持する芯保持手段を有するスライド部材を設けたシャープペンシルであって、スライド部材に突起を構成するとともに、本体に周方向に傾斜したガイド溝を形成し、前記突起を前記ガイド溝に係合して、スライド部材が長手方向に移動する時に、突起がガイド溝に沿って摺動することを特徴とするシャープペンシル。
【請求項２】
先部材と軸筒により本体を構成したことを特徴とする請求項１記載のシャープペンシル。
【請求項３】
コイルスプリングによりスライド部材を長手方向前方に付勢したことを特徴とする請求項１又は２記載のシャープペンシル。
【請求項４】
軸筒の前部に先部材を取り付け、この先部材に周方向に傾斜したガイド溝を貫通して構成するとともに、スライド部材に突起を固着し、前記突起が前記ガイド溝を挿通して外方に突出し、この突起を操作しガイド溝に沿って長手方向に前後動させることによって、スライド部材内の芯を適宜回転させることを特徴とする請求項１乃至３のいずれか１項に記載のシャープペンシル。
【請求項５】
スライド部材に操作部材を構成し、操作部材を長手方向に前後動させることによって、スライド部材に構成した突起がガイド溝に沿って長手方向に前後動し、スライド部材内の芯を適宜回転させることを特徴とする請求項１乃至３のいずれか１項に記載のシャープペンシル。
【請求項６】
スライド部材が本体の先端より適宜突出したことを特徴とする請求項１乃至５のいずれか１項に記載のシャープペンシル。
【発明の詳細な説明】
【技術分野】
【０００１】
本発明は、スライド部材の突起をガイド溝に沿って長手方向に前後動させることにより、芯を一定量繰り出すとともに回転させるシャープペンシルに関する。
【背景技術】
【０００２】
一般的に筆記具は若干傾けて筆記するが、シャープペンシルを傾けて筆記すると芯が片減りしてしまうために、芯の端面が楕円状になってしまい筆記幅が次第に太くなってしまうものであった。そのため、細い筆記幅を保つためにはシャープペンシルを回転する必要があった。
【０００３】
この点を解消するために、芯タンクに回転子を回転不能に取り付けるとともに、軸筒に摺動子を回転不能に取り付け、ノック部材の押圧動作によって芯タンク及び摺動子を移動させ、その摺動子の移動によって回転子を回転させるとともに、回転子とともに芯タンクに固定されたチャック体を回転させて芯を回転させるシャープペンシルが知られている。（特許文献１参照）
【０００４】
更に、軸筒の内部に芯の前進は許容するが、芯の後退は楔作用によって阻止するボールチャック機構を配置すると共に、そのボールチャック機構の前方に芯を軽く保持するスライド部材を前後動可能に配置したシャープペンシルであって、前記軸筒の前方にスライド部材を作動せしめるノック部材を配置する一方、前記ボールチャック機構の後方にはそのボールチャック機構を作動せしめる傾斜板を配置し、その傾斜板を前記ノック部材によって揺動せしめたシャープペンシルが知られている。（特許文献２参照）
【特許文献１】特許第３８５２１７２号公報
【特許文献２】特開２００６−９５９４８号公報
【発明の開示】
【発明が解決しようとする課題】
【０００５】
しかし、従来知られている回転子と摺動子を用いて芯を回転させるものは、構造が複雑となりコスト高になるとともに構造上回転子の回転量が大きく、１回の押圧動作で芯が大きく回転してしまい非常に筆記しにくいものであった。
【０００６】
また、ボールチャック機構を配置すると共に、スライド部材を作動せしめるノック部材を配置したシャープペンシルは、芯を繰り出すことは可能であるが芯を回転させることはできなかった。
【０００７】
本発明は、上記課題を解消するシャープペンシルを提供することを目的とするものである。
【課題を解決するための手段】
【０００８】
本発明は、本体内に芯の前進は許容するが後退は阻止するボールチャック式芯保持機構を内蔵するとともに、芯を適度の保持力で保持する芯保持手段を有するスライド部材を設けたシャープペンシルであって、スライド部材に突起を構成するとともに、本体に周方向に傾斜したガイド溝を形成し、前記突起を前記ガイド溝に係合して、スライド部材が長手方向に移動する時に、突起がガイド溝に沿って摺動することを第１の要旨とする。
【０００９】
また、先部材と軸筒により本体を構成したことを第２の要旨とする。
【００１０】
更に、コイルスプリングによりスライド部材を長手方向前方に付勢したことを第３の要旨とする。
【００１１】
更にまた、軸筒の前部に先部材を取り付け、この先部材に周方向に傾斜したガイド溝を貫通して構成するとともに、スライド部材に突起を固着し、前記突起が前記ガイド溝を挿通して外方に突出し、この突起を操作しガイド溝に沿って長手方向に前後動させることによって、スライド部材内の芯を適宜回転させることを第４の要旨とする。
【００１２】
更にまた、スライド部材に操作部材を構成し、操作部材を長手方向に前後動させることによって、スライド部材に構成した突起がガイド溝に沿って長手方向に前後動し、スライド部材内の芯を適宜回転させることを第５の要旨とする。
【００１３】
更にまた、スライド部材が本体の先端より適宜突出したことを第６の要旨とする。
【発明の効果】
【００１４】
本発明のシャープペンシルは、ボールチャック式芯保持機構が、芯が前進する時には極わずかな力でしか芯を保持せず、また、芯が後退しようとした場合には強く芯を保持する特徴に着目し、スライド部材が回転しながら前進する時に芯を回転させ、スライド部材が逆に回転しながら後退する時には芯が回転しない特徴を利用し、スライド部材を長手方向に前後動させることによって一定量芯を回転でき、簡単な構造でかつ簡単な操作で芯が回転できる効果が奏せられるものである。
【発明を実施するための最良の形態】
【００１５】
スライド部材を回転させながら長手方向に前後動させるという簡単な操作で、一定量芯を回転することができるシャープペンシルを実現した。
【実施例１】
【００１６】
以下、図１、図２および図３に基づいて本発明における実施例１のシャープペンシルを説明する。また、図１の左側を前方とし右側を後方とする。先ず、黄銅等からなる金属製のチャック１の前部を２分割して構成し、この２分割されたチャック１のそれぞれの頭部１Ａに凹部１Ｂを形成する。この凹部１Ｂに金属製のボール２を回動可能に配置する。
【００１７】
また、黄銅等の金属製の締具３に長手方向後方に向かって細径となるテーパー部３Ａを形成するとともに、後部に切溝を形成して弾性片３Ｂを構成する。更に、締具３の弾性片３Ｂに係止突起３Ｃを形成する。この締具３に前記チャック１を内蔵させ、チャック１の頭部１Ａに配置されたボール２が締具３のテーパー部３Ａに接触可能に構成する。また、締具３の前部にはストッパー４が固着され、チャック１の抜けを防止する。以上の構成によりボールチャック式芯保持機構を構成する。
【００１８】
前記ボールチャック式芯保持機構を軸筒５の前方より挿入し、軸筒５の後方から挿入された芯タンク６の前部外鍔６Ａを締具３の弾性片３Ｂに形成された係止突起３Ｃに係止し、締具３と芯タンク６を連結する。尚、締具３の係止突起３Ｃは芯タンク６の前部６Ｂに１００ｇ程度の摩擦抵抗を有して接触されている。また、軸筒５の後内段５Ａと芯タンク６の外段６Ｃとの間には５００ｇ程度の取付時荷重でリターンスプリング７が張架され、芯タンク６を長手方向後方に付勢している。
【００１９】
先部材８には周方向に傾斜したガイド溝８Ａが形成され、この先部材８内にスライド部材９が摺動可能に内蔵される。また、スライド部材９の芯ガイド部９Ａは適宜先部材８の先端より突出する。このスライド部材９には芯１０を３０ｇ程度の力で保持するゴム等からなる芯ホルダー１１が内蔵されている。更に、スライド部材９には突起１２が固着され、この突起１２は先部材８のガイド溝８Ａを挿通して先部材８の外周より一部突出している。前記先部材８が前記軸筒５の前部に螺合される。更に、スライド部材９とチャック１との間には１５ｇ程度の非常に弱い取付時荷重でコイルスプリング１３が張架され、スライド部材９を長手方向前方に付勢するとともに、チャック１を長手方向後方に付勢している。更に、軸筒５の把持部５Ｂにはゴム等の軟質材からなるグリップ１４が外嵌され、シャープペンシルが構成される。
【００２０】
次に、芯１０を回転させる場合には、図１および図２の状態より突起１２を先部材８の周方向に傾斜したガイド溝８Ａに沿って回転しながら後退させる。すると、突起１２とともにスライド部材９も回転しながら後退するが、芯１０はチャック１により後退方向には強く保持されているので、芯ホルダー１１は芯１０を滑って回転しながら後退する。したがって、この状態では芯１０は回転しない。そして、突起１２がガイド溝８Ａの最後退位置に到達して図３に示した状態になった時に、突起１２を後退させる力を解除すると、スライド部材９はコイルスプリング１３により前進させられる。すると、突起１２はガイド溝８Ａに沿って後退した時とは逆に回転しながら前進する。この突起１２と連動してスライド部材９および芯ホルダー１１も回転しながら前進する。しかも、芯１０の前進に対してはチャック１の楔作用が働かない為にチャック１による芯１０の保持力は極微少となり、芯ホルダー１１が芯１０を保持する３０ｇ程度の保持力よりはるかに小さい保持力となる。したがって、芯ホルダー１１に保持された芯１０はチャック１内を滑って芯ホルダー１１とともに回転しながら前進する。そして、突起１２、スライド部材９および芯ホルダー１１は適宜回転しながら前進して図１および図２に示した状態に復帰する。この時、芯１０は一定量回転される。この状態で筆記を行えば、シャープペンシルを回転させなくても芯１０の新しいエッジ部が紙面に当たって筆記を行うことができる。
【００２１】
筆記を行うことによって一本の芯１０が消耗し次の芯１０を追従させる場合には、図１の状態よりリターンスプリング７を圧縮させて芯タンク６を前進させる。すると、芯タンク６と摩擦接触している締具３も前進する。そして、締具３がスライド部材９に当接すると締具３は停止されるが芯タンク６は更に前進し、芯タンク６の前端がチャック１の後端に当接し、チャック１が拡開される。この状態で芯タンク６の押圧を解除すると、チャック１は拡開した状態で後退し、次の芯１０がチャック１内に挿入される。そして、締具３の外段３Ｄが軸筒５の前内段５Ｃに当接されると締具３の後退は停止されるが芯タンク６は更に後退させられ、チャック１の後端と芯タンク６の前端が離間する。更に芯タンク６は後退し、芯タンク６の前部外鍔６Ａが締具３の係止突起３Ｃに係止され芯タンク６の後退が停止される。再度芯タンク６を前進させると、芯タンク６とともに締具３及びチャック１が前進し、チャック１により保持された芯１０も前進して新たな芯１０が芯ホルダー１１内に挿入される。この芯タンク６の押圧操作を数回繰り返すことにより、スライド部材９内の短くなった芯１０が排出されるとともに次の芯１０がスライド部材９の先端より突出し図１の状態となって筆記可能な状態となる。
【実施例２】
【００２２】
以下、図４に基づいて本発明における実施例２のシャープペンシルを説明する。尚、図１と同一部材は同一の符号を付してその説明を省略する。先ず、先部材１０８の前部に芯ガイド部１０８Ｂを一体に形成し、かつ、周方向に傾斜したガイド溝１０８Ａが形成される。この先部材１０８内にスライド部材１０９が摺動可能に内蔵される。このスライド部材１０９には芯１０を３０ｇ程度の力で保持するゴム等からなる芯ホルダー１１が内蔵されている。また、スライド部材１０９には突起１２が固着され、この突起１２は先部材１０８のガイド溝１０８Ａを挿通して先部材１０８の外周より一部突出して構成する。
【００２３】
この実施例２の場合には、芯ガイド部１０８Ｂが先部材１０８に固着されているので、芯ガイド部１０８Ｂの先端を押しても芯１０が繰り出されたり回転することはなく、突起１２を操作した時のみ芯１０を繰り出したり回転させることができる。
【実施例３】
【００２４】
以下、図５に基づいて本発明における実施例３のシャープペンシルを説明する。尚、図１と同一部材は同一の符号を付してその説明を省略する。先ず、先部材２０８に周方向に傾斜したガイド溝２０８Ａを相対位置に形成し、この２つのガイド溝２０８Ａは同じ形状に構成される。この先部材２０８内にスライド部材２０９が摺動可能に内蔵され、しかもスライド部材２０９の芯ガイド部２０９Ａは適宜先部材２０８の先端より突出する。更に、スライド部材２０９には芯１０を３０ｇ程度の力で保持するゴム等からなる芯ホルダー１１が内蔵されている。また、スライド部材２０９には相対位置に２つの突起１１２が固着され、この突起１１２は前記した先部材２０８のガイド溝２０８Ａを挿通して先部材２０８の外周より突出させる。更に、前記突起１１２にリング状の操作部材１５を固着して構成したものである。
【００２５】
この実施例３の場合は、リング状の操作部材１５を操作して、芯１０を繰り出したり回転させるので、操作を容易に行うことができる。
【実施例４】
【００２６】
以下、図６に基づいて本発明における実施例４のシャープペンシルを説明する。尚、図１と同一部材は同一の符号を付してその説明を省略する。先ず、先部材８に周方向に傾斜したガイド溝８Ａを形成する。この先部材８内にスライド部材９が摺動可能に内蔵される。また、スライド部材９の芯ガイド部９Ａは適宜先部材８の先端より突出させる。このスライド部材９には芯１０を３０ｇ程度の力で保持するゴム等からなる芯ホルダー１１が内蔵されている。更に、スライド部材９には突起２１２が固着され、この突起２１２は先部材８のガイド溝８Ａに挿入される。尚、突起２１２は先部材８の外周より内側に構成されている。更に、先部材８の先端より突出したスライド部材９の芯ガイド部９Ａに円板状の操作部材１１５を固着して構成する。
【００２７】
この実施例４の場合は、円板状の操作部材１１５を操作して、芯１０を繰り出したり回転させるので、操作を容易に行うことができる。
【実施例５】
【００２８】
以下、図７に基づいて本発明における実施例５のシャープペンシルを説明する。尚、図１と同一部材は同一の符号を付してその説明を省略する。先ず、先部材８に周方向に傾斜したガイド溝８Ａを形成する。この先部材８内にスライド部材９が摺動可能に内蔵される。また、スライド部材９の芯ガイド部９Ａは適宜先部材８の先端より突出させる。このスライド部材９には芯１０を３０ｇ程度の力で保持するゴム等からなる芯ホルダー１１が内蔵されている。更に、スライド部材９には突起２１２が固着され、この突起２１２は先部材８のガイド溝８Ａに挿入される。尚、突起２１２は先部材８の外周より内側に構成する。
【００２９】
この実施例５のシャープペンシルは、筆記を行うことにより芯１０が摩耗すると、スライド部材９の芯ガイド部９Ａ先端が紙面に押されて後退するが、突起２１２がガイド溝８Ａに沿って後退するので、スライド部材９は回転しながら後退する。しかし、芯１０はチャック１により強く保持されているので、芯１０は回転しない。そして、筆記を止めて芯ガイド部９Ａ先端を紙面より離すと、コイルスプリング１３により付勢されてスライド部材９が前進する。この時も、突起２１２がガイド溝８Ａに沿って前進するので、スライド部材９は回転しながら前進する。すると、芯１０はチャック１の楔作用を受けないのでチャック１による芯保持力は極微少となり、芯ホルダー１１とともに芯１０が回転しながら前進する。したがって、図７に復帰した筆記状態においては、芯１０は摩耗した量だけ繰り出されるとともに適宜回転される。
【００３０】
したがって実施例５の場合には、何ら操作を行う必要はなく、筆記を行えば自動的に芯１０が回転し、常に芯１０の新しいエッジ部で筆記を行うことができ、筆記幅が太くなってしまう心配がなくなるものである。
【００３１】
尚、本発明は上記実施例に限定されるものではなく、ボールチャック式芯保持機構においても従来知られている種々の機構が利用可能である。例えばチャックは、金属製以外の合成樹脂製のチャックでも良いし、２つに分割された片を合わせて円筒形のチャックを構成しても良い。また、上記実施例においては、コイルスプリングによってスライド部材を長手方向前方に付勢するとともにチャックを長手方向後方に付勢したが、従来から知られているように、スライド部材をコイルスプリングにより長手方向前方に付勢するとともに、コイルスプリングとは別のチャックスプリングによりチャックを長手方向後方に付勢することも可能である。更に、スライド部材に設けられたゴム製の芯ホルダーの代わりに、スライド部材に複数の弾性片を形成して芯を保持することも可能であるし、芯ホルダーの形状もゴム製に限らず従来知られているプラスチックに弾性片を形成して構成することも可能である。更に、上記実施例ではスライド部材に突起を固着して構成したが、スライド部材と突起を一体に構成してもよい。また、締具、芯タンクあるいは軸筒といった部材は、複数の部材を固着あるいは嵌合して一体化することも可能である。
【産業上の利用可能性】
【００３２】
スライド部材を長手方向に前後動させることにより芯を回転することができ、簡単な操作で芯が回転できるシャープペンシルに適用できる。
【図面の簡単な説明】
【００３３】
【図１】本発明の実施例１のシャープペンシルを示す主要部断面図である。（実施例１）
【図２】本発明の実施例１のシャープペンシルを示す主要部平面図である。（実施例１）
【図３】本発明の実施例１のシャープペンシルにおいて、突起をガイド溝の最後退位置に到達した状態を示す主要部断面図である。（実施例１）
【図４】本発明の実施例２のシャープペンシルを示す主要部断面図である。（実施例２）
【図５】本発明の実施例３のシャープペンシルを示す主要部断面図である。（実施例３）
【図６】本発明の実施例４のシャープペンシルを示す主要部断面図である。（実施例４）
【図７】本発明の実施例５のシャープペンシルを示す主要部断面図である。（実施例５）
【符号の説明】
【００３４】
５  軸筒
８  先部材
８Ａ  先部材８のガイド溝
９  スライド部材
１０  芯
１２  突起
１３  コイルスプリング
１５  操作部材
１０８  先部材
１０８Ａ  先部材１０８のガイド溝
１０９  スライド部材
１１２  突起
１１５  操作部材
２０８  先部材
２０８Ａ  先部材２０８のガイド溝
２０９  スライド部材
２１２  突起
【図１】
2009292001.tif 000003
【図２】
2009292001.tif 000004
【図３】
2009292001.tif 000005
【図４】
2009292001.tif 000006
【図５】
2009292001.tif 000007
【図６】
2009292001.tif 000008
【図７】
2009292001.tif 000009